【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、ここにおいて、前記ＢＡフレームは、圧縮されたＢＡフレームまたはマルチ局ＢＡフレームであり、前記ＢＡフレームは、フラグメント番号フィールドと、前記圧縮されたＢＡフレームまたは前記マルチ局ＢＡフレーム内の前記ブロックＡＣＫビットマップの長さを示す、統合されたマッピングにおける前記フラグメント番号フィールド内のビットマップ長インジケータと、を備え、
前記生成されたＢＡフレームを前記少なくとも１つのワイヤレスデバイスに送信することと、
前記少なくとも１つのフレームに関する前記ＢＡフレームを要求するブロック確認応答要求（ＢＡＲ）フレームを受信することと、前記ＢＡＲフレームは、第２のフラグメント番号フィールドと、前記ＢＡフレーム内の前記ブロックＡＣＫビットマップの前記長さを示す、前記第２のフラグメント番号フィールド内の第２のビットマップ長インジケータと、を備え、ここにおいて、前記ＢＡフレームは、前記受信されたＢＡＲフレームに基づいて生成される、
を備える、方法。
【請求項２】
前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、請求項１に記載の方法。
【請求項３】
前記フラグメント番号フィールドは、フラグメント化インジケータをさらに含み、前記フラグメント化インジケータは、前記ＢＡフレームがフラグメント化されたデータ送信の受信を確認応答しているかどうかを示す、請求項１に記載の方法。
【請求項４】
前記ビットマップ長インジケータは、２つのビットを備える、請求項１に記載の方法。
【請求項５】
前記ＢＡフレームは、前記圧縮されたＢＡフレームであり、前記ビットマップ長インジケータは、前記ブロックＡＣＫビットマップが長さにおいて、８オクテットであるか、または３２オクテットであるかを示す、請求項４に記載の方法。
【請求項６】
前記ＢＡフレームは、前記マルチ局ＢＡフレームであり、前記ビットマップ長インジケータは、前記ブロックＡＣＫビットマップが長さにおいて、２オクテットであるか、４オクテットであるか、８オクテットであるか、または３２オクテットであるかを示す、請求項４に記載の方法。
【請求項７】
確認応答ポリシー設定、および前記少なくとも１つのフレームにおいて受信されたデータのタイプに基づいて、前記圧縮されたＢＡフレームまたは前記マルチ局ＢＡフレームを生成することをさらに備え、ここにおいて、前記確認応答ポリシー設定は、確認応答なし、ノーマル確認応答、または暗黙のブロック確認応答要求、のうちの１つであり、受信されたデータの前記タイプは、媒体アクセス制御（ＭＡＣ）プロトコルデータユニット（ＭＰＤＵ）、超高スループット（ＶＨＴ）シングルＭＰＤＵ、アグリゲートされたＭＰＤＵ（Ａ−ＭＰＤＵ）、またはマルチトラフィック識別子（ＴＩＤ）Ａ−ＭＰＤＵのうちの１つである、請求項４に記載の方法。
【請求項８】
前記少なくとも１つのフレームは、アクション確認応答フレーム以外のフレームである、請求項７に記載の方法。
【請求項９】
ＢＡセットアップ期間の間、前記少なくとも１つのワイヤレスデバイスと前記ブロックＡＣＫビットマップの前記長さを交渉することをさらに備え、
前記交渉することは、
バッファサイズを決定するために前記少なくとも１つのワイヤレスデバイスと通信することと、
前記バッファサイズに基づいて前記ブロックＡＣＫビットマップの前記長さを決定することと
を備える、請求項１に記載の方法。
【請求項１０】
ワイヤレス通信のための装置であって、
少なくとも１つのワイヤレスデバイスから少なくとも１つのフレームを受信するための手段と、
前記受信された少なくとも１つのフレームに基づいて、ブロック確認応答（ＡＣＫ）ビットマップを備えるブロック確認応答（ＢＡ）フレームを生成するための手段と、ここにおいて、前記ＢＡフレームは、圧縮されたＢＡフレームまたはマルチ局ＢＡフレームであり、前記ＢＡフレームは、フラグメント番号フィールドと、前記圧縮されたＢＡフレームまたは前記マルチ局ＢＡフレーム内の前記ブロックＡＣＫビットマップの長さを示す、統合されたマッピングにおける前記フラグメント番号フィールド内のビットマップ長インジケータと、を備え、
前記生成されたＢＡフレームを前記少なくとも１つのワイヤレスデバイスに送信するための手段と、
前記少なくとも１つのフレームに関する前記ＢＡフレームを要求するブロック確認応答要求（ＢＡＲ）フレームを受信するための手段と、前記ＢＡＲフレームは、第２のフラグメント番号フィールドと、前記ＢＡフレーム内の前記ブロックＡＣＫビットマップの前記長さを示す、前記第２のフラグメント番号フィールド内の第２のビットマップ長インジケータと、を備え、ここにおいて、前記ＢＡフレームは、前記受信されたＢＡＲフレームに基づいて生成される、
を備える、装置。
【請求項１１】
前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、請求項１０に記載の装置。
【請求項１２】
前記ビットマップ長インジケータは、２つのビットを備える、請求項１０に記載の装置。
【請求項１３】
前記ＢＡフレームは、前記圧縮されたＢＡフレームであり、前記ビットマップ長インジケータは、前記ブロックＡＣＫビットマップが長さにおいて、８オクテットであるか、または３２オクテットであるかを示し、前記ＢＡフレームは、前記マルチ局ＢＡフレームであり、前記ビットマップ長インジケータは、前記ブロックＡＣＫビットマップが長さにおいて、２オクテットであるか、４オクテットであるか、８オクテットであるか、または３２オクテットであるかを示す、請求項１２に記載の装置。
【請求項１４】
確認応答ポリシー設定、および前記少なくとも１つのフレームにおいて受信されたデータのタイプに基づいて、前記圧縮されたＢＡフレームまたは前記マルチ局ＢＡフレームを生成するための手段をさらに備え、ここにおいて、前記確認応答ポリシー設定は、確認応答なし、ノーマル確認応答、または暗黙のブロック確認応答要求、のうちの１つであり、受信されたデータの前記タイプは、媒体アクセス制御（ＭＡＣ）プロトコルデータユニット（ＭＰＤＵ）、超高スループット（ＶＨＴ）シングルＭＰＤＵ、アグリゲートされたＭＰＤＵ（Ａ−ＭＰＤＵ）、またはマルチトラフィック識別子（ＴＩＤ）Ａ−ＭＰＤＵのうちの１つである、請求項１２に記載の装置。
【請求項１５】
ＢＡセットアップ期間の間、前記少なくとも１つのワイヤレスデバイスと前記ブロックＡＣＫビットマップの前記長さを交渉するための手段をさらに備え、
交渉するための前記手段は、
バッファサイズを決定するために前記少なくとも１つのワイヤレスデバイスと通信することと、
前記バッファサイズに基づいて前記ブロックＡＣＫビットマップの前記長さを決定することと
を行うように構成されている、請求項１０に記載の装置。
【請求項１６】
ワイヤレス通信のための装置であって、
メモリと、
前記メモリに結合され、および、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、ここにおいて、前記ＢＡフレームは、圧縮されたＢＡフレームまたはマルチ局ＢＡフレームであり、前記ＢＡフレームは、フラグメント番号フィールドと、前記圧縮されたＢＡフレームまたは前記マルチ局ＢＡフレーム内の前記ブロックＡＣＫビットマップの長さを示す、統合されたマッピングにおける前記フラグメント番号フィールド内のビットマップ長インジケータと、を備え、
前記生成されたＢＡフレームを前記少なくとも１つのワイヤレスデバイスに送信することと、
前記少なくとも１つのフレームに関する前記ＢＡフレームを要求するブロック確認応答要求（ＢＡＲ）フレームを受信することと、前記ＢＡＲフレームは、第２のフラグメント番号フィールドと、前記ＢＡフレーム内の前記ブロックＡＣＫビットマップの前記長さを示す、前記第２のフラグメント番号フィールド内の第２のビットマップ長インジケータと、を備え、ここにおいて、前記ＢＡフレームは、前記受信されたＢＡＲフレームに基づいて生成される、
を行うように構成された、少なくとも１つのプロセッサと
を備える、装置。
【請求項１７】
前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、請求項１６に記載の装置。
【請求項１８】
前記フラグメント番号フィールドは、フラグメント化インジケータをさらに含み、前記フラグメント化インジケータは、前記ＢＡフレームがフラグメント化されたデータ送信の受信を確認応答しているかどうかを示す、請求項１６に記載の装置。
【請求項１９】
前記ビットマップ長インジケータは、２つのビットを備える、請求項１６に記載の装置。
【請求項２０】
前記ＢＡフレームは、前記圧縮されたＢＡフレームであり、前記ビットマップ長インジケータは、前記ブロックＡＣＫビットマップが長さにおいて、８オクテットであるか、または３２オクテットであるかを示す、請求項１９に記載の装置。
【請求項２１】
前記ＢＡフレームは、前記マルチ局ＢＡフレームであり、
前記ビットマップ長インジケータは、前記ブロックＡＣＫビットマップが長さにおいて、２オクテットであるか、４オクテットであるか、８オクテットであるか、または３２オクテットであるかを示す、請求項１９に記載の装置。
【請求項２２】
前記少なくとも１つのプロセッサは、確認応答ポリシー設定、および前記少なくとも１つのフレームにおいて受信されたデータのタイプに基づいて、前記圧縮されたＢＡフレームまたは前記マルチ局ＢＡフレームを選択するようにさらに構成される、請求項１９に記載の装置。
【請求項２３】
前記少なくとも１つのフレームは、アクション確認応答フレーム以外のフレームである、請求項２２に記載の装置。
【請求項２４】
前記少なくとも１つのプロセッサは、ＢＡセットアップ期間の間、前記少なくとも１つのワイヤレスデバイスと前記ブロックＡＣＫビットマップの前記長さを交渉するようにさらに構成され、前記少なくとも１つのプロセッサは、
バッファサイズを決定するために前記少なくとも１つのワイヤレスデバイスと通信することと、
前記バッファサイズに基づいて前記ブロックＡＣＫビットマップの前記長さを決定することと
を行うことによって、前記長さを交渉するように構成される、請求項１６に記載の装置。
【請求項２５】
ワイヤレス通信のためのコンピュータ実行可能コードを記憶する非一時的なコンピュータ可読媒体であって、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、ここにおいて、前記ＢＡフレームは、圧縮されたＢＡフレームまたはマルチ局ＢＡフレームであり、前記ＢＡフレームは、フラグメント番号フィールドと、前記圧縮されたＢＡフレームまたは前記マルチ局ＢＡフレーム内の前記ブロックＡＣＫビットマップの長さを示す、統合されたマッピングにおける前記フラグメント番号フィールド内のビットマップ長インジケータと、を備え、
前記生成されたＢＡフレームを前記少なくとも１つのワイヤレスデバイスに送信することと、
前記少なくとも１つのフレームに関する前記ＢＡフレームを要求するブロック確認応答要求（ＢＡＲ）フレームを受信することと、前記ＢＡＲフレームは、第２のフラグメント番号フィールドと、前記ＢＡフレーム内の前記ブロックＡＣＫビットマップの前記長さを示す、前記第２のフラグメント番号フィールド内の第２のビットマップ長インジケータと、を備え、ここにおいて、前記ＢＡフレームは、前記受信されたＢＡＲフレームに基づいて生成される、
を行うためのコードを備える、非一時的なコンピュータ可読媒体。
【手続補正２】
【補正対象書類名】明細書
【補正対象項目名】発明の名称
【補正方法】変更
【補正の内容】
【発明の名称】ブロック確認応答の生成および選択ルール
【手続補正３】
【補正対象書類名】明細書
【補正対象項目名】０００２
【補正方法】変更
【補正の内容】
【０００２】
[0002]本開示は、一般に通信システムに関し、より具体的には、ブロックＡＣＫを含む確認応答（acknowledgment:ＡＣＫ）を選択することおよび生成することに関する。
【手続補正４】
【補正対象書類名】明細書
【補正対象項目名】０００６
【補正方法】変更
【補正の内容】
【０００６】
[0006]本開示の１つの態様は、ワイヤレス通信のための装置（例えば、アクセスポイントまたは局）を提供する。装置は、少なくとも１つのワイヤレスデバイスから少なくとも１つのフレームを受信するように構成され得る。装置は、受信された少なくとも１つのフレームに基づいて、ブロック確認応答（ＡＣＫ）ビットマップを含み得るブロック確認応答（ＢＡ）フレームを生成するように構成され得る。ＢＡフレームは、フラグメント番号フィールド、およびＢＡフレーム内のフラグメント番号フィールド内にブロックＡＣＫビットマップの長さを示すビットマップ長インジケータ含み得る。装置は、生成されたＢＡフレームを少なくとも１つのワイヤレスデバイスに送信するように構成され得る。
【手続補正５】
【補正対象書類名】明細書
【補正対象項目名】０００７
【補正方法】変更
【補正の内容】
【０００７】
【図１】[0007]図１は、本開示の態様が用いられ得る例となるワイヤレス通信システムを示す。
【図２】[0008]図２は、圧縮されたブロックＡＣＫフレームの例示的な図を例示する。
【図３】[0009]図３は、マルチＳＴＡブロックＡＣＫフレームの例示的な図を例示する。
【図４】[0010]図４は、ＢＡフレームのフラグメント番号サブフィールドの統合された（unified）マッピングに関する表を例示する。
【図５Ａ】[0011]図５Ａは、異なるタイプのＡＣＫフレームを生成することに関連付けられた（associated with）複数の基準交換シーケンスを例示する。
【図５Ｂ】図５Ｂは、異なるタイプのＡＣＫフレームを生成することに関連付けられた複数の基準交換シーケンスを例示する。
【図６Ａ】図６Ａは、異なるタイプのＡＣＫフレームを生成することに関連付けられた複数の基準交換シーケンスを例示する。
【図６Ｂ】図６Ｂは、異なるタイプのＡＣＫフレームを生成することに関連付けられた複数の基準交換シーケンスを例示する。
【図７】[0012]図７は、ブロック確認応答を生成するために図１のワイヤレス通信システム内で用いられ得るワイヤレスデバイスの機能ブロック図である。
【図８】[0013]図８は、ＡＣＫの選択および生成の例示的な方法のフローチャートである。
【図９】[0014]図９は、ブロック確認応答を生成する例示的なワイヤレス通信デバイスの機能ブロック図である。
【手続補正６】
【補正対象書類名】明細書
【補正対象項目名】００２６
【補正方法】変更
【補正の内容】
【００２６】
[0033]ある態様では、ＡＰ１０４は、様々な機能を実行するための１つまたは複数のコンポーネントを含み得る。例えば、ＡＰ１０４は、少なくとも１つのワイヤレスデバイス（例えば、ＳＴＡ１１４）から少なくとも１つのフレームを受信するように構成された確認応答コンポーネント１２４を含み得る。確認応答コンポーネント１２４は、受信された少なくとも１つのフレームに基づいて、ブロックＡＣＫビットマップを含み得るＢＡフレームを生成するように構成され得る。ＢＡフレームは、フラグメント番号フィールド、およびＢＡフレーム内のフラグメント番号フィールド内にブロックＡＣＫビットマップの長さを示すビットマップ長インジケータを含み得る。確認応答コンポーネント１２４は、生成されたＢＡフレームを少なくとも１つのワイヤレスデバイスに送信するように構成され得る。
【手続補正７】
【補正対象書類名】明細書
【補正対象項目名】００２７
【補正方法】変更
【補正の内容】
【００２７】
[0034]別の態様では、ＳＴＡ１１４は、様々な機能を実行するための１つまたは複数のコンポーネントを含み得る。例えば、ＳＴＡ１１４は、少なくとも１つのワイヤレスデバイス（例えば、ＡＰ１０４）から少なくとも１つのフレームを受信するように構成された確認応答コンポーネント１２６を含み得る。確認応答コンポーネント１２６は、受信された少なくとも１つのフレームに基づいて、ブロックＡＣＫビットマップを含み得るＢＡフレームを生成するように構成され得る。ＢＡフレームは、フラグメント番号フィールド、およびＢＡフレーム内のフラグメント番号フィールド内にブロックＡＣＫビットマップの長さを示すビットマップ長インジケータを含み得る。確認応答コンポーネント１２６は、生成されたＢＡフレームを少なくとも１つのワイヤレスデバイスに送信するように構成され得る。
【手続補正８】
【補正対象書類名】明細書
【補正対象項目名】００３２
【補正方法】変更
【補正の内容】
【００３２】
[0039]図４を参照すると、表４３０において例示されるように、フラグメント番号フィールド４０２は、ビットの４つの列（Ｂ０、Ｂ１、Ｂ２、Ｂ３）を有し得る。ビットの列（Ｂ０、Ｂ１、Ｂ２、Ｂ３）は、ＢＡビットマップ長フィールド４３２およびフラグメント化レベル４３４、ならびに受信が確認されることができるＭＳＤＵ／Ａ−ＭＳＤＵの最大数４３６の様々な状態にマッピングし得る。様々な状態は、ＢＡビットマップ４０６に関して、異なるＢＡビットマップ長を示し得る。Ｂ３およびＢ０に関連付けられた列は、実際のビット値である一方で、Ｂ２およびＢ１に関連付けられた列は、ビット値の十進表現である。例えば、０は、００（Ｂ２＝０、Ｂ１＝０）に対応し、１は、０１に対応し、２は、１０に対応し、３は、１１に対応する。第１の行４１０において、フラグメント番号フィールドが００００に設定されるとき、Ｃ−ＢＡまたはＭ−ＢＡのいずれかが使用され得、ＢＡビットマップは、長さ８バイトであり、フラグメント化は、Ｃ−ＢＡおよびＭ−ＢＡの両方に関してＯＦＦである（例えば、ＭＳＤＵフラグメントの受信を確認しない）。受信を確認されることができる媒体アクセス制御（ＭＡＣ）サービスデータユニット（ＭＳＤＵ）またはアグリゲートされたＭＳＤＵ（Ａ−ＭＳＤＵ）の最大数は、６４（例えば、８＊８）である。態様において、フラグメント化は、例えばＭＳＤＵがフラグメント化され得るフラグメントの数を参照する。例えば、ＭＳＤＵは、４つのフラグメントに分けられ得、それ故、ビットマップにおける各ビットは、１つのフラグメントに対応し、４ビットが、シングルＭＳＤＵ（フラグメントごとに１つのビット）確認応答に必要とされ得る。第２の行４１２において、フラグメント番号フィールドが００１０に設定されるとき、Ｃ−ＢＡまたはＭ−ＢＡのいずれかが、使用され得、ＢＡビットマップは、長さで３２バイトであり、フラグメント化は、Ｃ−ＢＡおよびＭ−ＢＡの両方に関してＯＦＦである。受信を確認されることができるＭＳＤＵまたはＡ−ＭＳＤＵの最大数は、２５６である。第３の行４１４において、フラグメント番号サブフィールドが０１００に設定されるとき、Ｍ−ＢＡが使用され得る。ＢＡビットマップは、バイト長で４であり、フラグメント化は、Ｍ−ＢＡに関してＯＦＦである。受信を確認されることができるＭＳＤＵまたはＡ−ＭＳＤＵの最大数は、３２である。第４の行４１６において、フラグメント番号サブフィールドが０１１０に設定されるとき、Ｍ−ＢＡが使用され得る。ＢＡビットマップは、長さで２バイトであり、フラグメント化は、Ｍ−ＢＡに関してＯＦＦである。受信を確認されることができるＭＳＤＵまたはＡ−ＭＳＤＵの最大数は、（リザーブされていない場合）１６である。第５の行４１８において、フラグメント番号サブフィールドが０００１に設定されるとき、Ｃ−ＢＡまたはＭ−ＢＡが使用され得る。ＢＡビットマップは、長さで８バイトであり、フラグメント化は、Ｃ−ＢＡまたはＭ−ＢＡに関してＯＮである。言い換えると、Ｃ−ＢＡまたはＭ−ＢＡは、例えば、ＭＳＤＵの１つまたは複数のフラグメントの受信を確認している可能性がある。受信を確認されることができるＭＳＤＵまたはＡ−ＭＳＤＵの最大数は、１６である。一態様において、フラグメント化に起因して、最大ＭＳＤＵ／Ａ−ＭＳＤＵの数は、減らされ得る。第６の行４２０において、フラグメント番号フィールドが００１１に設定されるとき、Ｃ−ＢＡまたはＭ−ＢＡが使用され得る。ＢＡビットマップは、長さで３２バイトであり、フラグメント化は、Ｃ−ＢＡまたはＭ−ＢＡに関してＯＮである。受信を確認されることができるＭＳＤＵまたはＡ−ＭＳＤＵの最大数は、６４である。第７の行４２２において、フラグメント番号サブフィールドが０１０１に設定されるとき、Ｍ−ＢＡが使用され得る。ＢＡビットマップは、長さ４バイトであり、フラグメント化は、Ｍ−ＢＡに関してＯＮである。受信を確認されることができるＭＳＤＵまたはＡ−ＭＳＤＵの最大数は、４である。第８の行４２４において、フラグメント番号サブフィールドが０１１１に設定されるとき、Ｍ−ＢＡが使用され得る。ＢＡビットマップは長さ２バイトであり、フラグメント化は、Ｍ−ＢＡに関してＯＮである。受信を確認されることができるＭＳＤＵまたはＡ−ＭＳＤＵの最大数は、（リザーブされていない場合）４である。ビットＢ３が１に設定されるとき、他のルールはまた決定及び使用され得る。図４において例示されるように、様々な状態は、概して、開始シーケンス番号４０４のブロックに関する構造に影響を与えない。
【手続補正９】
【補正対象書類名】明細書
【補正対象項目名】００３４
【補正方法】変更
【補正の内容】
【００３４】
[0041]Ｃ−ＢＡおよびＭ−ＢＡフレームの両方は、ワイヤレスネットワーク内で使用され得、および両方は、可変のビットマップ長を有し得る。一態様において、Ｍ−ＢＡは、アップリンク（ＵＬ）マルチ−ユーザ（ＭＵ）物理コンバージェンスレイヤプロシージャ（ＰＬＣＰ）プロトコルデータユニット（ＰＰＤＵ）、マルチ−ＴＩＤＡ−ＭＰＤＵ、等のための応答フレームとして使用され得る。Ｍ−ＢＡフレームのＳＴＡごとのｉｎｆｏフィールド（per STA info field）におけるＴＩＤサブフィールドにおける１５の値は、即時の応答を必要とする管理フレームの成功した確認応答を示し得る。即時の応答を示すＡＣＫポリシーは、要請するＡ−ＭＰＤＵにおいて、搬送され得る。別の態様において、Ｍ−ＢＡフレームのＵＬ−ＭＵ送信は、ＤＬ  ＭＵ送信におけるマルチＴＩＤＡ−ＭＰＤＵに応答して、許可される。Ｍ−ＢＡにおけるＡＩＤフィールドの値は、受信を確認されることになるＳＴＡの１つまたは（全てを含む）複数と関連付けられ得る。別の態様において、ＡＣＫ／ＢＡ確認応答を求める（asks for）複数のＴＩＤからのＭＰＤＵ、およびＡＣＫ確認応答を求める１つの管理フレームは、ＭＵ送信に関して１つのＡ−ＭＰＤＵにおいてアグリゲートされ得る。受信者は、発信者がマルチＴＩＤ  Ａ−ＭＰＤＵにおいてアグリゲートし得るＴＩＤ  ＭＰＤＵの最大数を示し得る。
【手続補正１０】
【補正対象書類名】明細書
【補正対象項目名】００５１
【補正方法】変更
【補正の内容】
【００５１】
[0058]別の態様において、ＢＡＲが要請されたＢＡフレームに関して、発信者は、１つのＢＡＲフレームを用いて複数のＢＡフレームを要請し得る。ＢＡＲフレームは、ＰＰＤＵにおいて搬送されるＭＰＤＵであり得るか、Ａ−ＭＰＤＵの最後のＭＰＤＵであり得るか、またはトリガフレームのＢＡＲの変形の部分として含まれ得る。トリガフレームが、Ａ−ＭＰＤＵにおいて、アグリゲートされる場合、ＢＡＲフレームは、存在しない可能性がある。別の態様において、受信者によってサポートされるＴＩＤの最大数が１である場合、ＢＡＲフレームは、圧縮されたＢＡＲのいずれかであり得る。別の態様において、ＢＡＲフレームは、受信者によってサポートされるＴＩＤの最大数が１またはそれより多い場合、マルチＴＩＤ  ＢＡＲであり得る。ＢＡＲフレームに関して、（例えば、図５において示されるように）ＢＡフレームに関して上記で説明されたものと同じフラグメント番号マッピングが適用される。さらに、上記で議論されたＰＰＤＵごとの確認応答ルール（per-PPDU acknowledgment rules）がまた、適用され得る。
【手続補正１１】
【補正対象書類名】明細書
【補正対象項目名】００５２
【補正方法】変更
【補正の内容】
【００５２】
[0059]要するに、ワイヤレスデバイスは、と事前に構成され得、可変のビットマップおよびマルチＴＩＤサポートに関するＢＡ選択ルールを交渉し得る。ワイヤレスデバイスは、上記で議論されたＰＰＤＵごとの確認応答ルールをさらに利用し得る。
【手続補正１２】
【補正対象書類名】明細書
【補正対象項目名】００５３
【補正方法】変更
【補正の内容】
【００５３】
[0060]図７は、ブロック確認応答を生成するために図１のワイヤレス通信システム１００内で用いられ得るワイヤレスデバイス７０２の機能ブロック図である。ワイヤレスデバイス７０２は、ここで説明されている様々な方法をインプリメントするように構成され得るデバイスの例である。例えば、ワイヤレスデバイス７０２は、ＡＰ１０４またはＳＴＡ１１４であり得る。
【手続補正１３】
【補正対象書類名】明細書
【補正対象項目名】００６０
【補正方法】変更
【補正の内容】
【００６０】
[0067]ワイヤレスデバイス７０２がＡＰ（例えば、ＡＰ１０４、ＡＰ１１４）またはＳＴＡ（例えば、ＳＴＡ１１４）としてインプリメントされるとき、ワイヤレスデバイス７０２はまた、確認応答コンポーネント７２４を備え得る。確認応答コンポーネント７２４は、少なくとも１つのワイヤレスデバイスから少なくとも１つのフレーム７３２を受信するように構成され得る。確認応答コンポーネント７２４は、受信された少なくとも１つのフレームに基づいて、ビットマップを含み得るＢＡフレーム７３０を生成するように構成され得る。ＢＡフレームは、ＢＡフレーム内において、フラグメント番号フィールド、およびフラグメント番号フィールド内にビットマップの長さを示すビットマップ長インジケータを含み得る。確認応答コンポーネント７２４は、生成されたＢＡフレームを少なくとも１つのワイヤレスデバイスに送信するように構成され得る。一態様において、フラグメント番号フィールドは、ＢＡフレームのＢＡ開始シーケンス制御フィールド内のサブフィールドであり得、ＢＡ開始シーケンス制御フィールドは、ＢＡフレームのＢＡ情報フィールド内のサブフィールドであり得る。別の態様において、フラグメント番号フィールドは、ＢＡフレームがフラグメント化されたデータ送信の受信を確認しているかどうかをさらに示し得る。別の態様において、ＢＡフレームは、圧縮されたＢＡフレームまたはマルチ局ＢＡフレームであり得る。この態様において、フラグメント番号フィールドは、第１のビット、第２のビット、第３のビット、および第４のビットを含み得、第２のおよび第３のビットは、ビットマップ長インジケータに対応し得る。別の態様において、ＢＡフレームは、圧縮されたＢＡフレームであり得、ビットマップ長インジケータは、ビットマップが、長さで、８オクテット、または３２オクテットであるかを示し得る。別の態様において、ＢＡフレームは、マルチ局ＢＡフレームであり得、ビットマップ長インジケータは、ビットマップが、長さで、２オクテット、４オクテット、８オクテット、または３２オクテットであるかを示し得る。別の構成において、確認応答コンポーネント７２４は、確認応答ポリシー設定、および少なくとも１つのフレームにおいて受信されたデータのタイプに基づいて、圧縮されたＢＡフレームまたはマルチ局ＢＡフレームを選択するように構成され得る。別の態様において、少なくとも１つのフレームは、アクション確認応答フレームでない場合がある。別の構成において、確認応答コンポーネント７２４は、ＢＡセットアップ期間の間、少なくとも１つのワイヤレスデバイスとビットマップの長さを交渉するようにさらに構成され得る。確認応答コンポーネント７２４は、バッファサイズを決定するために少なくとも１つのワイヤレスデバイスと通信することによって、およびバッファサイズに基づいてビットマップの長さを決定することによって、交渉するように構成され得る。別の構成において、確認応答コンポーネント７２４は、少なくとも１つのフレームに関してＢＡフレームを要求するＢＡＲフレーム７３４を受信するように構成され得る。ＢＡＲフレームは、第２のフラグメント番号フィールド、およびＢＡフレーム内の第２のフラグメント番号フィールド内にビットマップの長さを示す第２のビットマップ長インジケータを含み得る。ＢＡフレームは、受信されたＢＡＲフレームに基づいて生成され得る。
【手続補正１４】
【補正対象書類名】明細書
【補正対象項目名】００６２
【補正方法】変更
【補正の内容】
【００６２】
[0069]複数の別個のコンポーネントが図７に例示されているが、これらコンポーネントのうちの１つまたは複数が、組み合わされるまたは共通してインプリメントされ得る。例えば、プロセッサ７０４は、プロセッサ７０４に関して上記で説明された機能をインプリメントするためだけでなく、信号検出器７１８、ＤＳＰ７２０、ユーザインターフェース７２２、および／または確認応答コンポーネント７２４に関して上記で説明された機能をインプリメントするためにも使用され得る。さらに、図７に例示されるコンポーネントの各々は、複数の別個の要素を使用してインプリメントされ得る。
【手続補正１５】
【補正対象書類名】明細書
【補正対象項目名】００７０
【補正方法】変更
【補正の内容】
【００７０】
[0077]図９は、ブロック確認応答を生成する例示的なワイヤレス通信デバイス９００の機能的なブロック図である。ワイヤレス通信デバイス９００は、受信機９０５、処理システム９１０、および送信機９１５を含み得る。処理システム９１０は、確認応答コンポーネント９２４を含み得る。受信機９０５、処理システム９１０、および／または確認応答コンポーネント９２４は、少なくとも１つのワイヤレスデバイスから少なくとも１つのフレーム９３２を受信するように構成され得る。処理システム９１０および／または確認応答コンポーネント９２４は、受信された少なくとも１つのフレームに基づいて、ビットマップを含み得るＢＡフレーム９３０を生成するように構成され得る。ＢＡフレームは、フラグメント番号フィールド、およびＢＡフレーム内のフラグメント番号フィールド内にビットマップの長さを示すビットマップ長インジケータを含み得る。送信機９１５、処理システム９１０、および／または確認応答コンポーネント９２４は、生成されたＢＡフレームを少なくとも１つのワイヤレスデバイスに送信するように構成され得る。一態様において、フラグメント番号フィールドは、ＢＡフレームのＢＡ開始シーケンス制御フィールド内のサブフィールドであり得、ＢＡ開始シーケンス制御フィールドは、ＢＡフレームのＢＡ情報フィールド内のサブフィールドであり得る。別の態様において、フラグメント番号フィールドは、ＢＡフレームがフラグメント化されたデータ送信の受信を確認しているかどうかをさらに示し得る。別の態様において、ＢＡフレームは、圧縮されたＢＡフレームまたはマルチ局ＢＡフレームであり得る。この態様において、フラグメント番号フィールドは、第１のビット、第２のビット、第３のビット、および第４のビットを含み得、第２のおよび第３のビットは、ビットマップ長インジケータに対応し得る。別の態様において、ＢＡフレームは、圧縮されたＢＡフレームであり得、ビットマップ長インジケータは、ビットマップが、長さで、８オクテット、または３２オクテットであるかを示し得る。別の態様において、ＢＡフレームは、マルチ局ＢＡフレームであり得、ビットマップ長インジケータは、ビットマップが、長さで、２オクテット、４オクテット、８オクテット、または３２オクテットであるかを示し得る。別の構成において、処理システム９１０および／または確認応答コンポーネント９２４は、確認応答ポリシー設定、および少なくとも１つのフレームにおいて受信されたデータのタイプに基づいて、圧縮されたＢＡフレームまたはマルチ局ＢＡフレームを選択するように構成され得る。別の態様において、少なくとも１つのフレームは、アクション確認応答フレームでない場合がある。別の構成において、処理システム９１０および／または確認応答コンポーネント９２４は、ＢＡセットアップ期間の間、少なくとも１つのワイヤレスデバイスとビットマップの長さを交渉するようにさらに構成され得る。処理システム９１０および／または確認応答コンポーネント９２４は、バッファサイズを決定するために少なくとも１つのワイヤレスデバイスと通信することによって、およびバッファサイズに基づいてビットマップの長さを決定することによって、交渉するように構成され得る。別の構成において、受信機９０５、処理システム９１０、および／または確認応答コンポーネント９２４は、少なくとも１つのフレームに関するＢＡフレームを要求するＢＡＲフレーム９３４を受信するように構成され得る。ＢＡＲフレームは、第２のフラグメント番号フィールド、およびＢＡフレーム内の第２のフラグメント番号フィールド内にビットマップの長さを示す第２のビットマップ長インジケータを含み得る。ＢＡフレームは、受信されたＢＡＲフレームに基づいて生成され得る。
【手続補正１６】
【補正対象書類名】明細書
【補正対象項目名】００７１
【補正方法】変更
【補正の内容】
【００７１】
[0078]受信機９０５、処理システム９１０、確認応答コンポーネント９２４、および／または送信機９１５は、上記で説明された１つまたは複数の機能を実行するように構成され得る。受信機９０５は、受信機１０１２に対応し得る。処理システム９１０は、プロセッサ１００４に対応し得る。送信機９１５は、送信機１０１０に対応し得る。確認応答コンポーネント９２４は、確認応答コンポーネント１２４、確認応答コンポーネント１２６、および／または確認応答コンポーネント１０２４に対応し得る。
【手続補正１７】
【補正対象書類名】明細書
【補正対象項目名】００７２
【補正方法】変更
【補正の内容】
【００７２】
[0079]１つの構成において、ワイヤレス通信デバイス９００は、少なくとも１つのワイヤレスデバイスから少なくとも１つのフレームを受信するための手段を含み得る。ワイヤレス通信デバイス９００は、受信された少なくとも１つのフレームに基づいて、ビットマップを含み得るＢＡフレームを生成するための手段を含み得る。ＢＡフレームは、フラグメント番号フィールド、およびＢＡフレーム内のフラグメント番号フィールド内にビットマップの長さを示すビットマップ長インジケータを含み得る。ワイヤレス通信デバイス９００は、生成されたＢＡフレームを少なくとも１つのワイヤレスデバイスに送信するための手段を含み得る。一態様において、フラグメント番号フィールドは、ＢＡフレームのＢＡ開始シーケンス制御フィールド内のサブフィールドであり得、ＢＡ開始シーケンス制御フィールドは、ＢＡフレームのＢＡ情報フィールド内のサブフィールドであり得る。別の態様において、フラグメント番号フィールドは、ＢＡフレームがフラグメント化されたデータ送信の受信を確認しているかどうかをさらに示し得る。別の態様において、ＢＡフレームは、圧縮されたＢＡフレームまたはマルチ局ＢＡフレームであり得る。この態様において、フラグメント番号フィールドは、第１のビット、第２のビット、第３のビット、および第４のビットを含み得、第２のおよび第３のビットは、ビットマップ長インジケータに対応し得る。別の態様において、ＢＡフレームは、圧縮されたＢＡフレームであり得、ビットマップ長インジケータは、ビットマップが、長さで、８オクテット、または３２オクテットであるかを示し得る。別の態様において、ＢＡフレームは、マルチ局ＢＡフレームであり得、ビットマップ長インジケータは、ビットマップが、長さで、２オクテット、４オクテット、８オクテット、または３２オクテットであるかを示し得る。別の構成において、ワイヤレス通信デバイス９００は、確認応答ポリシー設定、および少なくとも１つのフレームにおいて受信されたデータのタイプに基づいて、圧縮されたＢＡフレームまたはマルチ局ＢＡフレームを生成するための手段を含み得る。別の態様において、少なくとも１つのフレームは、アクション確認応答フレームでない場合がある。別の構成において、ワイヤレス通信デバイス９００は、ＢＡセットアップ期間の間、少なくとも１つのワイヤレスデバイスとビットマップの長さを交渉するための手段を含み得る。交渉するための手段は、バッファサイズを決定するために少なくとも１つのワイヤレスデバイスと通信することによって、およびバッファサイズに基づいてビットマップの長さを決定することによって、交渉するように構成され得る。別の構成において、ワイヤレス通信デバイス９００は、少なくとも１つのフレームに関するＢＡフレームを要求するＢＡＲフレームを受信するための手段を含み得る。ＢＡＲフレームは、第２のフラグメント番号フィールド、およびＢＡフレーム内の第２のフラグメント番号フィールド内にビットマップの長さを示す第２のビットマップ長インジケータを含み得る。ＢＡフレームは、受信されたＢＡＲフレームに基づいて生成され得る。
【手続補正１８】
【補正対象書類名】明細書
【補正対象項目名】００７３
【補正方法】変更
【補正の内容】
【００７３】
[0080]例えば、受信するための手段は、受信機９０５、処理システム９１０、および／または確認応答コンポーネント９２４を含み得る。ＢＡフレームを生成するための手段は、処理システム９１０および／または確認応答コンポーネント９２４を含み得る。生成されたＢＡフレームを受信するための手段は、送信機９１５、処理システム９１０、および／または確認応答コンポーネント９２４を含み得る。圧縮されたＢＡフレームまたはマルチ局ＢＡフレームを生成するための手段は、処理システム９１０および／または確認応答コンポーネント９２４を含み得る。ビットマップの長さを交渉するための手段は、処理システム９１０、送信機９１５、受信機９０５、および／または確認応答コンポーネント９２４を含み得る。ＢＡＲフレームを受信するための手段は、受信機９０５、処理システム９１０、および／または確認応答コンポーネント９２４を含み得る。
【手続補正１９】
【補正対象書類名】明細書
【補正対象項目名】００８２
【補正方法】変更
【補正の内容】
【００８２】
[0089]先の説明は、あらゆる当業者が本明細書で説明されている様々な態様を実施することを可能にするように提供されている。これらの態様への様々な変更は当業者には容易に明らかになり、本明細書で定義されている一般的な原理は他の態様に適用され得る。それ故に、請求項は、本明細書に示される態様に限定されるように意図されていないが、請求項の文言と一貫する全範囲であると認められるべきであり、ここで、単数の要素への言及は、そのように明確に述べられていない限りは「１つおよび１つのみ」を意味するように意図されず、むしろ「１つまたは複数」を意味するように意図される。特別に別の方法で述べられない限り、「いくつか」という用語は１つまたは複数を表す。当業者に既知の、または後に周知となる、本開示全体にわたって説明された様々な態様の要素と構造的および機能的な同等物はすべて、参照によって本明細書に明示的に組み込まれ、特許請求の範囲によって包含されることが意図される。さらに、本明細書で開示されているいずれも、こうした開示が請求項において明確に記載されているかどうかにかかわらず、公衆に献呈することは意図されていない。いずれの請求項の要素も、その要素が「〜のための手段（means for）」という表現を使用して明示的に記載されていない限り、または、方法の請求項の場合には、その要素が「〜のためのステップ（step for）」という表現を使用して明示的に記載されていない限り、米国特許法第１１２条（ｆ）の規定の下で解釈されるべきではない。
以下に本願の出願当初の特許請求の範囲に記載された発明を付記する。
［Ｃ１］  ワイヤレス通信のための方法であって、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、前記ＢＡフレームは、フラグメント番号フィールド、および前記ＢＡフレーム内の前記フラグメント番号フィールド内に前記ブロックＡＣＫビットマップの長さを示すビットマップ長インジケータを備え、
前記生成されたＢＡフレームを前記少なくとも１つのワイヤレスデバイスに送信することと
を備える、方法。
［Ｃ２］  前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、Ｃ１に記載の方法。
［Ｃ３］  前記フラグメント番号フィールドは、フラグメント化インジケータをさらに含み、前記フラグメント化インジケータは、前記ＢＡフレームがフラグメント化されたデータ送信の受信を確認しているかどうかを示す、Ｃ１に記載の方法。
［Ｃ４］  前記ＢＡフレームは、圧縮されたＢＡフレームまたはマルチ局ＢＡフレームであり、前記ビットマップ長インジケータは、２つのビットを備える、Ｃ１に記載の方法。
［Ｃ５］  前記ＢＡフレームは、前記圧縮されたＢＡフレームであり、前記ビットマップ長インジケータは、前記ブロックＡＣＫビットマップが長さで、８オクテットであるか、または３２オクテットであるかを示す、Ｃ４に記載の方法。
［Ｃ６］  前記ＢＡフレームは、前記マルチ局ＢＡフレームであり、前記ビットマップ長インジケータは、前記ブロックＡＣＫビットマップが長さで、２オクテットであるか、４オクテットであるか、８オクテットであるか、または３２オクテットであるかを示す、Ｃ４に記載の方法。
［Ｃ７］  確認応答ポリシー設定、および前記少なくとも１つのフレームにおいて受信されたデータのタイプに基づいて、前記圧縮されたＢＡフレームまたは前記マルチ局ＢＡフレームを生成することをさらに備え、ここにおいて、前記確認応答ポリシー設定は、確認応答なし、ノーマル確認応答、または暗黙のブロック確認応答要求、のうちの１つであり、受信されたデータの前記タイプは、媒体アクセス制御（ＭＡＣ）プロトコルデータユニット（ＭＰＤＵ）、超高スループット（ＶＨＴ）シングルＭＰＤＵ、アグリゲートされたＭＰＤＵ（Ａ−ＭＰＤＵ）、またはマルチトラフィック識別子（ＴＩＤ）Ａ−ＭＰＤＵのうちの１つである、Ｃ４に記載の方法。
［Ｃ８］  前記少なくとも１つのフレームは、アクション確認応答フレーム以外のフレームである、Ｃ７に記載の方法。
［Ｃ９］  ＢＡセットアップ期間の間、前記少なくとも１つのワイヤレスデバイスと前記ブロックＡＣＫビットマップの前記長さを交渉することをさらに備え、
前記交渉することは、
バッファサイズを決定するために前記少なくとも１つのワイヤレスデバイスと通信することと、
前記バッファサイズに基づいて前記ブロックＡＣＫビットマップの前記長さを決定することと
を備える、Ｃ１に記載の方法。
［Ｃ１０］  前記少なくとも１つのフレームに関する前記ＢＡフレームを要求するブロック確認応答要求（ＢＡＲ）フレームを受信することをさらに備え、前記ＢＡＲフレームは、第２のフラグメント番号フィールド、および前記ＢＡフレーム内の前記第２のフラグメント番号フィールド内に前記ブロックＡＣＫビットマップの前記長さを示す第２のビットマップ長インジケータを備え、前記ＢＡフレームは、前記受信されたＢＡＲフレームに基づいて生成される、Ｃ１に記載の方法。
［Ｃ１１］  ワイヤレス通信のための装置であって、
少なくとも１つのワイヤレスデバイスから少なくとも１つのフレームを受信するための手段と、
前記受信された少なくとも１つのフレームに基づいて、ブロック確認応答（ＡＣＫ）ビットマップを備えるブロック確認応答（ＢＡ）フレームを生成するための手段と、前記ＢＡフレームは、フラグメント番号フィールド、および前記ＢＡフレーム内の前記フラグメント番号フィールド内に前記ブロックＡＣＫビットマップの長さを示すビットマップ長インジケータを備え、
前記生成されたＢＡフレームを前記少なくとも１つのワイヤレスデバイスに送信するための手段と
を備える、装置。
［Ｃ１２］  前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、Ｃ１１に記載の装置。
［Ｃ１３］  前記ＢＡフレームは、圧縮されたＢＡフレームまたはマルチ局ＢＡフレームであり、前記ビットマップ長インジケータは、２つのビットを備える、Ｃ１１に記載の装置。
［Ｃ１４］  前記ＢＡフレームは、前記圧縮されたＢＡフレームであり、前記ビットマップ長インジケータは、前記ブロックＡＣＫビットマップが長さで、８オクテットであるか、または３２オクテットであるかを示し、前記ＢＡフレームは、前記マルチ局ＢＡフレームであり、前記ビットマップ長インジケータは、前記ブロックＡＣＫビットマップが長さで、２オクテットであるか、４オクテットであるか、８オクテットであるか、または３２オクテットであるかを示す、Ｃ１３に記載の装置。
［Ｃ１５］  確認応答ポリシー設定、および前記少なくとも１つのフレームにおいて受信されたデータのタイプに基づいて、前記圧縮されたＢＡフレームまたは前記マルチ局ＢＡフレームを生成するための手段をさらに備え、ここにおいて、前記確認応答ポリシー設定は、確認応答なし、ノーマル確認応答、または暗黙のブロック確認応答要求、のうちの１つであり  受信されたデータの前記タイプは、媒体アクセス制御（ＭＡＣ）プロトコルデータユニット（ＭＰＤＵ）、超高スループット（ＶＨＴ）シングルＭＰＤＵ、アグリゲートされたＭＰＤＵ（Ａ−ＭＰＤＵ）、またはマルチトラフィック識別子（ＴＩＤ）Ａ−ＭＰＤＵのうちの１つである、Ｃ１３に記載の装置。
［Ｃ１６］  ＢＡセットアップ期間の間、前記少なくとも１つのワイヤレスデバイスと前記ブロックＡＣＫビットマップの前記長さを交渉するための手段をさらに備え、
交渉するための前記手段は、
バッファサイズを決定するために前記少なくとも１つのワイヤレスデバイスと通信することと、
前記バッファサイズに基づいて前記ブロックＡＣＫビットマップの前記長さを決定することと
を行うように構成されている、Ｃ１１に記載の装置。
［Ｃ１７］  前記少なくとも１つのフレームに関する前記ＢＡフレームを要求するブロック確認応答要求（ＢＡＲ）フレームを受信するための手段をさらに備え、前記ＢＡＲフレームは、第２のフラグメント番号フィールド、および前記ＢＡフレーム内の前記第２のフラグメント番号フィールド内に前記ブロックＡＣＫビットマップの前記長さを示す第２のビットマップ長インジケータを備え、前記ＢＡフレームは、前記受信されたＢＡＲフレームに基づいて生成される、Ｃ１１に記載の装置。
［Ｃ１８］  ワイヤレス通信のための装置であって、
メモリと、
前記メモリに結合され、および、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、前記ＢＡフレームは、フラグメント番号フィールド、および前記ＢＡフレーム内の前記フラグメント番号フィールド内に前記ブロックＡＣＫビットマップの長さを示すビットマップ長インジケータを備え、
前記生成されたＢＡフレームを前記少なくとも１つのワイヤレスデバイスに送信することと
を行うように構成された、少なくとも１つのプロセッサと
を備える、装置。
［Ｃ１９］  前記フラグメント番号フィールドは、前記ＢＡフレームのＢＡ開始シーケンス制御フィールド内のサブフィールドであり、前記ＢＡ開始シーケンス制御フィールドは、前記ＢＡフレームのＢＡ情報フィールド内のサブフィールドである、Ｃ１８に記載の装置。
［Ｃ２０］  前記フラグメント番号フィールドは、フラグメント化インジケータをさらに含み、前記フラグメント化インジケータは、前記ＢＡフレームがフラグメント化されたデータ送信の受信を確認しているかどうかを示す、Ｃ１８に記載の装置。
［Ｃ２１］  前記ＢＡフレームは、圧縮されたＢＡフレームまたはマルチ局ＢＡフレームであり、前記ビットマップ長インジケータは、２つのビットを備える、Ｃ１８に記載の装置。
［Ｃ２２］  前記ＢＡフレームは、前記圧縮されたＢＡフレームであり、前記ビットマップ長インジケータは、前記ブロックＡＣＫビットマップが長さで、８オクテットであるか、または３２オクテットであるかを示す、Ｃ２１に記載の装置。
［Ｃ２３］  前記ＢＡフレームは、前記マルチ局ＢＡフレームであり、
前記ビットマップ長インジケータは、前記ブロックＡＣＫビットマップが長さで、２オクテットであるか、４オクテットであるか、８オクテットであるか、または３２オクテットであるかを示す、Ｃ２１に記載の装置。
［Ｃ２４］  前記少なくとも１つのプロセッサは、確認応答ポリシー設定、および前記少なくとも１つのフレームにおいて受信されたデータのタイプに基づいて、前記圧縮されたＢＡフレームまたは前記マルチ局ＢＡフレームを選択するようにさらに構成される、Ｃ２１に記載の装置。
［Ｃ２５］  前記少なくとも１つのフレームは、アクション確認応答フレーム以外のフレームである、Ｃ２４に記載の装置。
［Ｃ２６］  前記少なくとも１つのプロセッサは、ＢＡセットアップ期間の間、前記少なくとも１つのワイヤレスデバイスと前記ブロックＡＣＫビットマップの前記長さを交渉するようにさらに構成され、前記少なくとも１つのプロセッサは、
バッファサイズを決定するために前記少なくとも１つのワイヤレスデバイスと通信することと、
前記バッファサイズに基づいて前記ブロックＡＣＫビットマップの前記長さを決定することと
を行うことによって、前記長さを交渉するように構成される、Ｃ１８に記載の装置。
［Ｃ２７］  前記少なくとも１つのプロセッサは、
前記少なくとも１つのフレームに関する前記ＢＡフレームを要求するブロック確認応答要求（ＢＡＲ）フレームを受信することを行うようにさらに構成され、前記ＢＡＲフレームは、第２のフラグメント番号フィールド、および前記ＢＡフレーム内の前記第２のフラグメント番号フィールド内に前記ブロックＡＣＫビットマップの前記長さを示す第２のビットマップ長インジケータを備え、前記ＢＡフレームは、前記受信されたＢＡＲフレームに基づいて生成される、Ｃ１８に記載の装置。
［Ｃ２８］  ワイヤレス通信のためのコンピュータ実行可能コードを記憶するコンピュータ可読媒体であって、
少なくとも１つのワイヤレスデバイスから少なくとも１つのフレームを受信することと、
前記受信された少なくとも１つのフレームに基づいて、ブロック確認応答（ＡＣＫ）ビットマップを備えるブロック確認応答（ＢＡ）フレームを生成することと、前記ＢＡフレームは、フラグメント番号フィールド、および前記ＢＡフレーム内の前記フラグメント番号フィールド内に前記ブロックＡＣＫビットマップの長さを示すビットマップ長インジケータを備え、
前記生成されたＢＡフレームを前記少なくとも１つのワイヤレスデバイスに送信することと
を行うためのコードを備える、コンピュータ可読媒体。
【手続補正２０】
【補正対象書類名】図面
【補正対象項目名】図１
【補正方法】変更
【補正の内容】
【図１】
2019518365.tif 000001
【手続補正２１】
【補正対象書類名】図面
【補正対象項目名】図７
【補正方法】変更
【補正の内容】
【図７】
2019518365.tif 000002
【手続補正２２】
【補正対象書類名】図面
【補正対象項目名】図８
【補正方法】変更
【補正の内容】
【図８】
2019518365.tif 000003
【手続補正２３】
【補正対象書類名】図面
【補正対象項目名】図９
【補正方法】変更
【補正の内容】
【図９】
2019518365.tif 000004